(57)【要約】 【課題】傘からの光反射効率が極めて高く、夜間に傘を差している歩行者を運転者が容易に視認でき、且つ傘の重量が増加せずに装着できると共に、傘に装着した反射材の耐久性が高い光反射傘を提供することを目的とする。【解決手段】雨傘本体（１）に張られた傘布（２）の一部に、少なくとも、高屈折ガラスビーズ(3a)を樹脂層(3b)に約半分埋設した再帰反射材（３）を装着させたものである。【選択図】図１
0003111451.tif 000002
【実用新案登録請求の範囲】
【請求項１】
雨傘本体（１）に張られた傘布（２）の一部に、少なくとも、高屈折ガラスビーズ(3a)を樹脂層(3b)に約半分埋設した再帰反射材（３）を装着したことを特徴とする光反射傘。
【請求項２】
前記再帰反射材（３）が、シートである請求項１記載の光反射傘。
【請求項３】
前記再帰反射材（３）が、少なくとも、反射材を混入した前記樹脂層(3b)と、該樹脂層(3b)に約半分埋設させた前記高屈折ガラスビーズ(3a)と、該露出した高屈折ガラスビーズ(3a)と前記樹脂層(3b)の表面に塗布した保護剤層(3c)とから成り、且つ、これらの各層を前記傘布（２）上に順次直接形成させて前記再帰反射材（３）を装着した請求項１記載の光反射傘。
【請求項４】
前記保護剤層(3c)の上に撥水剤層(3d)を形成した請求項３記載の光反射傘。
【考案の詳細な説明】
【技術分野】
【０００１】
本考案は夜間に歩行者が差している雨傘が、車のヘッドライトで反射し、運転者側から歩行者をよく視認でき、交通事故を防止できる光反射傘に関する。
【背景技術】
【０００２】
従来、雨傘に電池を利用した発光装置、あるいは発光剤を塗布したり発光シートを貼着したりして、夜間時に傘を差している歩行者の自動車事故を防止するようにしている。
【特許文献１】なし
【考案の開示】
【考案が解決しようとする課題】
【０００３】
前記従来の雨傘において、先ず電池を用いた発光装置では装置が重く、傘全体が重くなり、コスト的にも高価なものとなる。
【０００４】
また、発光剤を塗布したり、発光シートを貼着させたものにおいては、発光期間がどれも短く、長期間にわたって使用できない問題点を有していた。
【０００５】
本考案は、前記従来の問題点に鑑み、これを解消するものであり、傘からの光反射効率が極めて高く、夜間に傘を差している歩行者を運転者が容易に視認でき、且つ傘の重量が増加せずに装着できると共に、傘に装着した反射材の耐久性が高い光反射傘を提供することを目的とする。
【課題を解決するための手段】
【０００６】
前記の目的を達成するために、本考案は、雨傘本体（１）に張られた傘布（２）の一部に、少なくとも、高屈折ガラスビーズ(3a)を樹脂層(3b)に約半分埋設した再帰反射材（３）を装着させたものである。
【０００７】
また、本考案は、前記再帰反射材（３）が、布シートであるのが好ましい。
【０００８】
更に、本考案は、前記再帰反射材（３）が、少なくとも、反射材を混入した前記樹脂層(3b)と、該樹脂層(3b)に約半分埋設させた前記高屈折ガラスビーズ(3a)と、該露出した高屈折ガラスビーズ(3a)と前記樹脂層(3b)の表面に塗布した保護剤層(3c)とから成り、且つ、これらの各層を前記傘布（２）上に順次直接形成させて前記再帰反射材（３）を装着させるのが好ましい。
【０００９】
また、本考案は、前記保護剤層(3c)の上に撥水剤層(3d)を形成するのが好ましい。
【考案の効果】
【００１０】
本考案は、傘布（２）の一部に、高屈折ガラスビーズ(3a)を樹脂層(3b)に約半分埋設した再帰反射材（３）を装着したことにより、夜間においても、自動車のヘッドライトの光が傘布（２）に装着した再帰反射材（３）によって効率よく反射され、遠くからして運転者が傘を差している歩行者を確実に視認でき、交通事故を防止できる。特に高屈折ガラスビーズ(3a)を樹脂層(3b)に約半分埋設させたのが最も効率よく再帰反射し、ガラスビーズ(3a)の固着性にも優れている。つまり、ガラスビーズ(3a)の埋設が半分より浅い場合には、ガラスビーズ(3a)をつき抜ける光が多くなり反射は弱く、また固着性も悪く、ガラスビーズ(3a)の脱落の原因となる。他方、ラスビーズ(3a)の埋設が半分より深くなると、入射光は光源方向に戻りにくくなり、反射率が低下する。従って、高屈折ガラスビーズ(3a)を樹脂層(3b)に約半分埋設させたため、高反射率となる。
【００１１】
また、再帰反射材（３）が、高屈折ガラスビーズ(3a)を樹脂層(3b)に約半分埋設させたオープンタイプのシートであるから、柔軟性に富み、約半分露出したガラスビーズ(3a)には、直接ヘッドライトの光が入射され、それがガラスビーズ(3a)内で高屈折により反射されるため、極めて光の反射効率が高く、運転者は明確に反射する傘を視認でき、従って、雨の暗い夜間においても交通事故を防止できる。
【００１２】
更に、前記再帰反射材（３）が、反射材を混入した樹脂層(3b)と、該樹脂層(3b)に約半分埋設させた高屈折ガラスビーズ(3a)と、該露出した高屈折ガラスビーズ(3a)と樹脂層(3b)の表面に塗布した保護剤層(3c)とから成り、これらの各層を傘布（２）上に直接形成させたことにより、混入した反射材と半分埋設した高屈折ガラスビーズ(3a)との関係、つまり、混入した反射材は高屈折ガラスビーズ(3a)の約半分埋設したところに位置させているからガラスビーズ(3a)が凹面鏡状態となり、光の反射効率が極めて高くなり、運転者が雨傘本体（１）の存在を容易に確認できる。且つ、保護剤層(3c)はガラスビーズ(3a)と樹脂層(3b)を保護し耐久性を高める。
【００１３】
また、傘布（２）に再帰反射材（３）を直接形成することにより、傘布（２）上に反射シートあるいは反射布等を取り付けたものに比べ、この部分が厚く嵩張らず、雨傘本体（１）を閉じた状態においても傘布（２）が容易に折り畳められる。また、上記工程で再帰反射材（３）を形成することは、一般に用いられているガラスビーズ(3a)を混入させた反射塗料のように、それを塗布するとガラスビーズ(3a)全体が白色の塗料内に埋設した状態となり、反射率が悪くなるが、本考案の再帰反射材（３）においては、前記各層を傘布（２）上に順に積層させて形成するため、確実にガラスビーズ(3a)の約半分を樹脂層(3b)から露出させることが可能となり、露出したガラスビーズ(3a)から光が入射され高反射率を達成できる。従って、本実施形態では高反射率と雨傘本体（１）の軽量化とを同時に満足することができる利点がある。
【考案を実施するための最良の形態】
【００１４】
以下、本考案の実施形態を図面を基に説明する。
【００１５】
図１は本考案の実施形態を示し、この図において、(１)は雨傘本体、（２）は雨傘本体（１）に張った傘布である。この傘布（２）としては、防水性の布、ビニールシート等を含み、その他、傘布（２）として適合するものならばよい。
【００１６】
（３）は傘布（２）の一部に、その外側縁部に帯状でもって装着させた再帰反射材である。この再帰反射材（３）は、図２に示すように、少なくとも透明微小の高屈折ガラスビーズ(3a)を樹脂層(3b)に約半分埋設し、その樹脂層(3b)を傘布（２）に接着，溶着等でコーティングしたオープンタイプの反射素材であり、この高屈折ガラスビーズ(3a)により良好な再帰性反射性能が得られる。
【００１７】
尚、本実施形態では、傘布（２）の外側縁部に帯状シートの再帰反射材（３）を装着させているが、装着箇所はこれに限定されるものではない。
【００１８】
上記の再帰反射材（３）のベースとなる樹脂層(3b)は、酸化チタン等の白色顔料を混入した白色を基本とするが、クロム酸鉛等の黄色顔料を混入させた黄色を使用すると、黄色の反射光となり、運転者に注意信号の役目を成す。但し、黄色に関しては、白色よりも反射性が劣る。
【００１９】
本考案の他の実施形態としては、傘布（２）に再帰反射材（３）を直接コーティングさせるのが好ましい。
【００２０】
この場合、再帰反射材（３）は、図３に示すように、反射材を混入した樹脂層(3b)と、該樹脂層(3b)に約半分埋設させた高屈折ガラスビーズ(3a)と、該露出した高屈折ガラスビーズ(3a)と前記樹脂層(3b)の表面に塗布した保護剤層(3c)とから成るものである。
【００２１】
次にこの各層から成る前記再帰反射材（３）を傘布（２）上に直接コーティングさせる加工方法について説明すると、先ず傘布（２）の一部で、特には傘布（２）の外側縁部に帯状でもって反射材を混入した樹脂製接着剤を塗布し樹脂層(3b)を形成し、次いで、この溶融した樹脂層(3b) 上に高屈折ガラスビーズ(3a)を散布し約半分が埋没するまで沈ませた後、熱等で樹脂層(3b)を固化させ樹脂層(3b)から約半分露出させた状態に高屈折ガラスビーズ(3a)を固着させ、更に、この上から透明な保護剤を塗布し保護剤層(3c)を形成するものである。この保護剤層(3c)は、ガラスビーズ(3a)と樹脂層(3b)を保護し、再帰反射材（３）の耐久性を高める効果を有する。
【００２２】
上記の樹脂製接着剤としては、ビニール系，アクリル系，ポリウレタン系等の樹脂製接着剤が好ましい。
【００２３】
また、本考案に用いる反射剤としては、反射性の高い金属微粉末，パール顔料等である。
【００２４】
更に、本考案に用いる高屈折ガラスビーズ(3a)としては、主成分がTiO2，BaO2，SiO22等で、粒度が0.1〜0.8ｍｍの範囲の透明ガラスビーズであり、屈折率が1.9以上のものが好ましい。
【００２５】
また、本考案に用いる保護剤層(3c)としては、透明で一般に使用されているビニール系，アルミアルキル系，エポキシ系等のシランから成る繊維処理剤，フィラー処理剤等を使用すればよい。
【００２６】
本考案の他の実施形態としては、図４に示すように、前記の再帰反射材（３）が前記の保護剤層(3c)の上に撥水剤を塗布し、撥水剤層(3d)を形成するのが好ましく、これによりガラスビーズ(3a)上の雨水を撥水させ、ガラスビーズ(3a)上に水滴が付かず、従って、ガラスビーズ(3a)に直接光が当り、雨水がガラスビーズ(3a)の反射性能の妨げにならない。
【産業上の利用可能性】
【００２７】
本考案は、歩行者が身に付ける身の回り品あるいは持ち物等で、特には、雨傘に利用することにより、交通事故を防止できる。
【図面の簡単な説明】
【００２８】
【図１】本考案の実施形態を示す説明図である。
【図２】本考案の再帰反射材の説明図である。
【図３】本考案の再帰反射材の他の実施形態を示す説明図である。
【図４】本考案の再帰反射材の他の実施形態を示す説明図である。
【符号の説明】
【００２９】
１  雨傘本体
２  傘布
３  再帰反射材
3a  高屈折ガラスビーズ
3b  樹脂層
3c  保護剤層
3d  撥水剤層
【図１】
0003111451.tif 000003
【図２】
0003111451.tif 000004
【図３】
0003111451.tif 000005
【図４】
0003111451.tif 000006